(57)【要約】      （修正有）【課題】画像データのプリント注文によりクーポンを含む広告コンテンツをユーザに提供する際に、煩わしい作業を行うことなくクーポンを有効に利用できるようにする。【解決手段】ユーザのプロファイルをデータベースＤＢ１に、プロファイルに応じたクーポンを含む広告コンテンツをデータベースＤＢ２に登録する。ユーザから画像データのプリント注文があると、データベースＤＢ１を参照してユーザのプロファイルに応じた広告コンテンツを画像データとともにプリントシステム５に送信する。プリントシステム５は画像データおよび広告コンテンツをプリントする。送信した広告コンテンツをユーザと対応付けてデータベースＤＢ３に登録する。ユーザはクーポンが必要なときにカメラ付き携帯電話３からシステム１にアクセスして、クーポンを含む広告コンテンツの送信要求を行ってクーポンを入手する。【選択図】図１
2006085337.tif 000002
【特許請求の範囲】
【請求項１】
あらかじめ登録されたユーザのプロファイルを保存する第１の保存手段と、
各種プロファイルに応じたクーポンを含む広告を表す広告コンテンツを保存する第２の保存手段と、
ユーザによる画像データのプリント注文を受け付け、前記プリント注文を行ったユーザのプロファイルを参照し、該ユーザのプロファイルに応じたユーザ用広告コンテンツを前記第２の保存手段から取得し、該ユーザ用広告コンテンツを前記画像データとともにプリント出力装置へ出力するプリント管理手段と、
前記ユーザ用広告コンテンツをユーザ単位で保存する第３の保存手段と、
前記ユーザによるユーザ用広告コンテンツの送信要求に応じて、前記第３の保存手段から該送信要求がなされたユーザ用広告コンテンツを取得して、該ユーザの端末装置に送信する広告コンテンツ管理手段とを備えたことを特徴とする広告装置。
【請求項２】
前記広告コンテンツ管理手段は、前記ユーザ用広告コンテンツの送信履歴を管理する手段であることを特徴とする請求項１記載の広告装置。
【請求項３】
前記広告コンテンツ管理手段は、前記ユーザからのアクセスがあると、アクセスしたユーザと対応付けられて前記第３の保存手段に保存されたユーザ用広告コンテンツのリストを前記端末装置に送信し、該リストから選択されたユーザ用広告コンテンツを前記端末装置に送信する手段であることを特徴とする請求項１または２記載の広告装置。
【請求項４】
前記広告コンテンツ管理手段は、送信したユーザ用広告コンテンツについては再度の送信を禁止する手段であることを特徴とする請求項１から３のいずれか１項記載の広告装置。
【請求項５】
前記広告コンテンツ管理手段は、前記送信要求があったユーザ用広告コンテンツに、送信日時に関連する日時情報を付与して前記端末装置に送信する手段であることを特徴とする請求項１から４のいずれか１項記載の広告装置。
【請求項６】
前記広告コンテンツ管理手段は、前記ユーザ用広告コンテンツの送信前に、該ユーザ用広告コンテンツに含まれるクーポンの利用期限を表す情報を前記端末装置に送信する手段であることを特徴とする請求項５記載の広告装置。
【請求項７】
前記広告コンテンツ管理手段は、前記端末装置が携帯端末装置である場合において、該端末装置から該端末装置の場所を表す場所情報の送信があった場合にのみ、前記送信要求があったユーザ用広告コンテンツを前記端末装置に送信する手段であることを特徴とする請求項１から６のいずれか１項記載の広告装置。
【請求項８】
前記プリント出力装置は、前記画像データとユーザ用広告コンテンツとをそれぞれ別個にプリント出力することを特徴とする請求項１から７のいずれか１項記載の広告装置。
【請求項９】
ユーザによる画像データのプリント注文を受け付け、
前記プリント注文を行ったユーザのプロファイルに応じたユーザ用広告コンテンツを、各種プロファイルに応じたクーポンを含む広告を表す広告コンテンツを保存する手段から取得し、
該ユーザ用広告コンテンツを前記画像データとともにプリント出力装置へ出力し、
前記ユーザ用広告コンテンツをユーザ単位で保存し、
前記ユーザによるユーザ用広告コンテンツの送信要求に応じて、該送信要求がなされたユーザ用広告コンテンツを該ユーザの端末装置に送信することを特徴とする広告方法。
【請求項１０】
ユーザによる画像データのプリント注文を受け付ける手順と、
前記プリント注文を行ったユーザのプロファイルに応じたユーザ用広告コンテンツを、各種プロファイルに応じたクーポンを含む広告を表す広告コンテンツを保存する手段から取得する手順と、
該ユーザ用広告コンテンツを前記画像データとともにプリント出力装置へ出力する手順と、
前記ユーザ用広告コンテンツをユーザ単位で保存する手順と、
前記ユーザによるユーザ用広告コンテンツの送信要求に応じて、該送信要求がなされたユーザ用広告コンテンツを該ユーザの端末装置に送信する手順とを有することを特徴とする広告方法をコンピュータに実行させるためのプログラム。
【発明の詳細な説明】
【技術分野】
【０００１】
本発明は、例えばパソコン、カメラ付き携帯端末装置等の端末装置に、ユーザのプロファイルに応じた広告コンテンツを配信する広告装置に関するものである。
【背景技術】
【０００２】
ユーザの性別、年齢、家族構成あるいは趣味等のユーザのプロファイルに応じたサービスあるいは商品の広告をユーザに示すことにより、広告を示したユーザはそのサービスや商品を利用する可能性が高くなることから、広告主は広告を有効に活用することができる。
【０００３】
また、電子チケットの配信時に、ユーザの携帯電話やパソコン等の端末装置に、ユーザの年齢・性別・住所・趣味・利用履歴等に応じたクーポンを配信するシステムが提案されている（特許文献１参照）。また、ユーザがカメラ付き携帯端末装置等において取得した画像データをプリント出力する際に、ユーザのプロファイルに応じた広告やクーポンを画像に付与してプリント出力し、これと引き替えにユーザのプリント料金を割り引いたり無料にしたりするシステムが提案されている（特許文献２参照）。
【０００４】
このようなシステムによれば、広告主は広告したサービスや商品のユーザによる利用の促進を図ることができる。また特許文献２のシステムにおいては、ユーザはプリントを安価に手に入れることができる。また、クーポンがプリントされた場合には、クーポンを用いてサービスや商品の提供を受けることができる。
【０００５】
また、紙媒体に空メールを送信するためのアドレスや２次元バーコードをプリントしておき、ユーザが携帯端末装置から空メールを送信したり、２次元バーコードを撮影して２次元バーコードにより表されるアクセス先にアクセスすることにより、ユーザの携帯端末装置にクーポンを配信するシステムも提案されている（従来技術１とする）。
【特許文献１】特開２００４−３０５０９号公報
【特許文献２】特開２００３−１１４９７０号公報
【発明の開示】
【発明が解決しようとする課題】
【０００６】
しかしながら、特許文献１のシステムにおいては、一旦電子チケット発行会社のシステムにアクセスしなければ、ユーザはどのようなクーポンを入手可能であるかが分からないという問題がある。また、特許文献２のシステムのように、プリントのような紙媒体にクーポンをプリントした場合、ユーザがクーポンを使用していないときにクーポンを所持していない場合が多い。このため、ユーザに利用価値のあるクーポンを提供しているにも拘わらず、クーポンが有効に使われないという問題がある。とくに、ユーザが広告に記載された店に出かけたにも拘わらずクーポンを忘れてしまうと、その店を利用するのをやめてしまう可能性が非常に高いことから、広告をユーザに提供しているにも拘わらずユーザの利用機会を失わせてしまうという問題がある。
【０００７】
また、上記従来技術１のシステムにおいては、空メールのアドレスや２次元バーコードがプリントされた紙媒体を所持していない場合には、クーポンを利用したくても利用できない。また、紙媒体を所持していたとしても、クーポンを入手するには空メールのメールアドレスを入力したり、２次元バーコードを撮影したりする必要があり、その作業が非常に面倒である。
【０００８】
また、上記各システムにおいては、どのようなユーザがクーポンを利用しているかが広告主には分からないため、広告主は市場の動向を反映したさらなる広告を作成するには市場調査を別途行う必要がある。
【０００９】
本発明は上記事情に鑑みなされたものであり、煩わしい作業を行うことなくユーザがクーポンを有効に利用できるようにすることを第１の目的とする。
【課題を解決するための手段】
【００１０】
本発明による広告装置は、あらかじめ登録されたユーザのプロファイルを保存する第１の保存手段と、
各種プロファイルに応じたクーポンを含む広告を表す広告コンテンツを保存する第２の保存手段と、
ユーザによる画像データのプリント注文を受け付け、前記プリント注文を行ったユーザのプロファイルを参照し、該ユーザのプロファイルに応じたユーザ用広告コンテンツを前記第２の保存手段から取得し、該ユーザ用広告コンテンツを前記画像データとともにプリント出力装置へ出力するプリント管理手段と、
前記ユーザ用広告コンテンツをユーザ単位で保存する第３の保存手段と、
前記ユーザによるユーザ用広告コンテンツの送信要求に応じて、前記第３の保存手段から該送信要求がなされたユーザ用広告コンテンツを取得して、該ユーザの端末装置に送信する広告コンテンツ管理手段とを備えたことを特徴とするものである。
【００１１】
「ユーザのプロファイル」としては、具体的にはユーザの住所、年齢、性別、職業、家族構成および趣味等を用いることができる。
【００１２】
なお、本発明による広告装置においては、前記広告コンテンツ管理手段を、前記ユーザ用広告コンテンツの送信履歴を管理する手段としてもよい。
【００１３】
また、本発明による広告装置においては、前記広告コンテンツ管理手段を、前記ユーザからのアクセスがあると、アクセスしたユーザと対応付けられて前記第３の保存手段に保存されたユーザ用広告コンテンツのリストを前記端末装置に送信し、該リストから選択されたユーザ用広告コンテンツを前記端末装置に送信する手段としてもよい。
【００１４】
また、本発明による広告装置においては、前記広告コンテンツ管理手段を、送信したユーザ用広告コンテンツについては再度の送信を禁止する手段としてもよい。
【００１５】
また、本発明による広告装置においては、前記広告コンテンツ管理手段を、前記送信要求があったユーザ用広告コンテンツに、送信日時に関連する日時情報を付与して前記端末装置に送信する手段としてもよい。
【００１６】
また、本発明による広告装置においては、前記広告コンテンツ管理手段を、前記ユーザ用広告コンテンツの送信前に、該ユーザ用広告コンテンツに含まれるクーポンの利用期限を表す情報を前記端末装置に送信する手段としてもよい。
【００１７】
また、本発明による広告装置においては、前記広告コンテンツ管理手段を、前記端末装置がカメラ付き携帯電話やＰＤＡ等の携帯端末装置である場合において、前記端末装置から該端末装置の場所を表す場所情報の送信があった場合にのみ、前記送信要求があったユーザ用広告コンテンツを前記端末装置に送信する手段としてもよい。
【００１８】
また、本発明による広告装置においては、前記プリント出力装置を、前記画像データとユーザ用広告コンテンツとをそれぞれ別個にプリント出力するものとしてもよい。
【００１９】
本発明による広告方法は、ユーザによる画像データのプリント注文を受け付け、
前記プリント注文を行ったユーザのプロファイルに応じたユーザ用広告コンテンツを、各種プロファイルに応じたクーポンを含む広告を表す広告コンテンツを保存する手段から取得し、
該ユーザ用広告コンテンツを前記画像データとともにプリント出力装置へ出力し、
前記ユーザ用広告コンテンツをユーザ単位で保存し、
前記ユーザによるユーザ用広告コンテンツの送信要求に応じて、該送信要求がなされたユーザ用広告コンテンツを該ユーザの端末装置に送信することを特徴とするものである。
【００２０】
なお、本発明による広告方法をコンピュータに実行させるためのプログラムとして提供してもよい。
【発明の効果】
【００２１】
本発明によれば、ユーザにより画像データのプリント注文がなされると、プリント注文を行ったユーザのプロファイルが参照されて、そのユーザのプロファイルに応じたユーザ用広告コンテンツが画像データとともにプリント出力装置へ出力される。また、ユーザ用広告コンテンツはユーザ単位で保存される。そして、ユーザによるユーザ用広告コンテンツの送信要求に応じて、送信要求がなされたユーザ用広告コンテンツが、端末装置に送信される。端末装置にはクーポンを含む広告コンテンツが表示される。このため、ユーザはクーポンが必要なときには本発明を実施するシステムにアクセスしさえすれよく、これにより、空メールのメールアドレスの入力や２次元バーコードの撮影等の煩わしい作業を行うことなく、容易にクーポンを入手することができる。
【００２２】
とくに、プリント出力装置からはユーザ用広告コンテンツおよび画像データがプリント出力されて、ユーザ用広告コンテンツおよび画像データのプリントがユーザに渡されているため、ユーザは本発明を用いたシステムにアクセスしなくても、自身がどのようなクーポンを利用可能であるかを事前に知ることができる。したがって、ユーザは記憶を頼りに自身が必要なクーポンを容易に探し出すことができるため、より効率よくクーポンを利用することができる。
【００２３】
また、ユーザはクーポンを利用したいときに端末装置から広告コンテンツを入手すればよいため、クーポンの利用機会を失うことなく、クーポンを有効に利用することができる。また、広告主にとっては、ユーザがクーポンの利用機会を失わないことから、広告主が運営する店舗にユーザを確実に呼び込むことができる。
【００２４】
また、ユーザ用広告コンテンツの送信履歴を管理することにより、送信履歴を送信したユーザのプロファイルと併せて広告主に提供することが可能となる。このため、広告主はこの送信履歴を用いて、広告主はどのようなプロファイルのユーザがどのようなクーポンを利用したのかを知ることができ、これにより、広告主は自ら市場調査を行うことなく、市場の動向を知ることができる。
【００２５】
また、ユーザからのアクセスがあった場合に、そのユーザについて保存されているユーザ用広告コンテンツのリストを端末装置に送信することにより、そのリストから必要なクーポンが含まれるユーザ用広告コンテンツを容易に選択することができる。
【００２６】
また、送信したユーザ用広告コンテンツについては再度の送信を禁止することにより、ユーザは必要であれば再度プリント注文を行うことによりクーポンを入手可能となる。このため、ユーザにユーザ用広告コンテンツを送信する機会を増やすことができ、これにより広告主は広告を行う回数を増加させて広告による商品やサービスの宣伝効果をより高めることができる。
【００２７】
また、送信要求があったユーザ用広告コンテンツに、送信日時に関連する日時情報を付与して端末装置に送信することにより、あらかじめ決められた利用期限内に、ユーザ用広告コンテンツに含まれるクーポンを確実に利用させるようにユーザを誘導することができる。
【００２８】
この場合、クーポンの利用期限を表す情報をユーザ用広告コンテンツの送信前に端末装置に送信することにより、ユーザは送信されたユーザ用広告コンテンツに含まれるクーポンの利用期限を確実に知ることができる。
【００２９】
また、端末装置が携帯端末装置である場合において、端末装置から端末装置の場所を表す場所情報の送信があった場合にのみ、送信要求があったユーザ用広告コンテンツを端末装置に送信することにより、クーポンを含むユーザ用広告コンテンツの送信と引き替えに、ユーザがクーポンを利用する場所の情報を取得することができる。したがって、この場所の情報を広告主に提供することにより、広告主はクーポンが利用された店舗の場所を知ることができる。
【００３０】
また、プリント出力装置において、画像データとユーザ用広告コンテンツとをそれぞれ別個にプリント出力することにより、ユーザ用広告コンテンツのプリントを紙媒体のクーポンとして利用することができる。また、画像データとユーザ用広告コンテンツとをそれぞれ別個にプリント出力することにより、画像データとユーザ用広告コンテンツとを併せてプリント出力する場合と比較して、クーポンの利用時にユーザの画像を持ち歩く必要がなくなるため、ユーザの画像が汚れたり、紛失してしまうことを防止することができる。
【発明を実施するための最良の形態】
【００３１】
以下、図面を参照して本発明の実施形態について説明する。図１は本発明の実施形態による広告装置を用いたプリントサービスシステムの構成を示す概略ブロック図である。図１に示すように本実施形態によるプリントサービスシステム１は、本実施形態によるプリントサービスシステムを運営するサービス提供会社が、ユーザがカメラ付き携帯電話３を用いて撮影を行うことにより取得した画像データのプリントサービスを提供するに際し、クーポンを含む広告コンテンツをユーザに提供するものであり、ユーザプロファイルデータベースＤＢ１を保存する第１の保存部１１、広告コンテンツデータベースＤＢ２を保存する第２の保存部１３、プリントの管理を行うプリント管理部１５、ユーザ用広告コンテンツデータベースＤＢ３を保存する第３の保存部１７、ユーザ用広告コンテンツの送信の管理を行う広告コンテンツ管理部１９、インターネット２を介して各種通信を行う通信部２１、およびプリント注文された画像データを保存する第４の保存部２３を備える。
【００３２】
第１の保存部１１はプリントサービスに登録したユーザのプロファイルを含むユーザプロファイルデータベースＤＢ１を保存する。図２はユーザプロファイルデータベースＤＢ１の構成を示す図である。図２に示すようにユーザプロファイルデータベースＤＢ１は、プリントサービスに登録したユーザに付与されたユーザＩＤが登録されている。また、各ユーザＩＤと対応付けて、ユーザの氏名、住所、電話番号、メールアドレス、性別、年齢、趣味、および家族構成からなるユーザプロファイルが登録されている。なお、ユーザプロファイルにはこれ以外のユーザの情報を登録してもよい。
【００３３】
なお、ユーザプロファイルは、ユーザが初めてプリントサービスを利用する際に、ユーザがユーザのカメラ付き携帯電話３を用いて本実施形態によるプリントサービスシステムにアクセスし、その際にユーザのカメラ付き携帯電話３に表示されるユーザプロファイル入力画面を介してユーザが入力したものがユーザプロファイルデータベースＤＢ１に登録される。なお、この際にユーザにはユーザＩＤおよびパスワードが発行される。ユーザはプリントサービスを利用する際には、プリントサービスシステムにアクセスし、ユーザＩＤおよびパスワードを入力し、認証がなされると、プリントサービスシステムを利用することが可能となる。
【００３４】
第２の保存部１３は、広告主によりユーザに送信するべく提供された、広告主の店舗等において利用可能なクーポンを含む広告を表す広告コンテンツを、広告のターゲットであるユーザ層のプロファイルおよびクーポンの種類を表す情報（以下クーポン情報とする）と対応付けて登録した広告コンテンツデータベースＤＢ２として保存する。
【００３５】
図３は広告コンテンツデータベースＤＢ２の構成を示す図である。図３に示すように、広告コンテンツデータベースＤＢ２には、広告主から提供された広告コンテンツがそのＩＤ（例えば広告ＩＤ００１）により登録されており、各広告ＩＤにはターゲットであるユーザ層のプロファイルおよびクーポン情報が登録されている。
【００３６】
例えば、広告ＩＤ００１の広告コンテンツには、「２０代」および「女性」のプロファイルと「エステ１０％オフ」のクーポン情報が、広告ＩＤ００３の広告コンテンツには「４０代」および「東京」のプロファイルと「ビール１００円引き」のクーポン情報が登録されている。このことから、広告ＩＤ００１の広告コンテンツは２０代の女性を、広告ＩＤ００３の広告コンテンツは４０代の東京在住の人をターゲットとしていることが分かる。
【００３７】
プリント管理部１５は、プリント注文を行うユーザが、ユーザのカメラ付き携帯電話３を用いて本実施形態によるプリントサービスシステムにアクセスした際のユーザの認証およびプリント注文の受け付けを行う。プリント注文の受け付けは、ユーザがカメラ付き携帯電話３から送信した画像データを通信部２１を介して受信することにより行う。
【００３８】
また、プリント管理部１５は、画像データを受信すると、第１の保存部１１に保存されたユーザプロファイルデータベースＤＢ１を参照して、プリント注文を行ったユーザのプロファイルを取得する。さらに、第２の保存部１３に保存された広告コンテンツデータベースＤＢ２を参照して、そのプロファイルのユーザをターゲットとしている広告コンテンツを取得する。
【００３９】
そして、プリント管理部１５は、ユーザが送信した画像データおよび取得した広告コンテンツ（以下ユーザ用広告コンテンツとする）を、通信部２１からインターネット２経由でプリントシステム５に送信する。この際、プリント管理部１５は、ユーザプロファイルデータベースＤＢ１を参照して、ユーザの氏名、住所および電話番号をプリントシステム５に送信する。
【００４０】
なお、プリントシステム５は、画像データおよび広告コンテンツをプリント出力してユーザ画像のプリントおよび広告コンテンツのプリントを生成する。そして、双方のプリントをユーザの住所宛に配送する。これにより、ユーザはユーザが撮影した画像のプリントおよびクーポンを含む広告コンテンツのプリントを入手することができる。また、ユーザは広告コンテンツのプリントに含まれるクーポンを利用して、広告されている店舗において商品やサービスの割引あるいは無償提供等、クーポンに応じた優待を受けることができる。
【００４１】
第３の保存部１７は、画像データとともにプリントするユーザ用広告コンテンツを画像データの注文を行ったユーザのユーザＩＤと対応付けて登録したユーザ用広告コンテンツデータベースＤＢ３を保存する。
【００４２】
図４はユーザ用広告コンテンツデータベースＤＢ３の構成を示す図である。図４に示すようにユーザ用広告コンテンツデータベースＤＢ３には、プリント注文を行ったユーザのユーザＩＤが登録されており、各ユーザＩＤにはそのユーザの画像データとともにプリント出力したユーザ用広告コンテンツの広告ＩＤが登録されている。例えばユーザＩＤ０１のユーザには広告ＩＤ００３および広告ＩＤ００６の２つのユーザ用広告コンテンツが登録されている。
【００４３】
広告コンテンツ管理部１９は、ユーザ用広告コンテンツをユーザＩＤと対応付けてユーザ用広告コンテンツデータベースＤＢ３に登録してユーザ用広告コンテンツデータベースＤＢ３を管理する。また、広告コンテンツ管理部１９は、ユーザ用広告コンテンツデータベースＤＢ３に登録されたユーザ用広告コンテンツの送信の管理を行う。すなわち、プリント注文を行ったユーザがクーポンを利用すべく、ユーザのカメラ付き携帯電話３を用いて、そのユーザにプリントとして配送されたクーポンを含むユーザ用広告コンテンツの送信要求をプリントサービスシステム１に行った場合に、ユーザの認証およびユーザ用広告コンテンツの送信を行う。
【００４４】
なお、同一のユーザについて複数のユーザ用広告コンテンツがユーザ用広告コンテンツデータベースＤＢ３に登録されている場合、広告コンテンツ管理部１９は、第２の保存部１３に保存された広告コンテンツデータベースＤＢ２におけるユーザ用広告コンテンツに登録されたクーポンの情報を参照して、クーポンの種類についてのリストを生成し、そのリストをユーザのカメラ付き携帯電話３に送信する。
【００４５】
図５はユーザのカメラ付き携帯電話３に表示されたリストの例を示す図である。図５に示すように、リストには現在のクーポン数が３件であることを示すテキスト、「ビール１００円引き」、「おつまみ５０円引き」、「チューハイ１００円引き」のクーポンの種類についてのリストが表示される。
【００４６】
ユーザはリストから入手を所望するクーポンを選択する。広告コンテンツ管理部１９は、ユーザが選択したクーポンを含むユーザ用広告コンテンツをユーザの携帯電話３に送信する。これにより、ユーザのカメラ付き携帯電話３には送信されたユーザ用広告コンテンツが表示される。
【００４７】
図６はユーザのカメラ付き携帯電話３に表示されたユーザ用広告コンテンツの例を示す図である。図６に示すように、例えば図５に示すリストにおいて「ビール１００円引き」のクーポンをユーザが選択した場合には、「ビール１００円引き」のクーポンを含むユーザ用広告コンテンツがカメラ付き携帯電話３に送信されて表示される。
【００４８】
なお、広告コンテンツ管理部１９は、図６に示すようにユーザのカメラ付き携帯電話３に送信するユーザ用広告に、ユーザ用広告コンテンツの送信日時を付与する。ここで、ユーザとプリントサービス会社との取り決めにより、クーポンの使用期限を送信日時から所定時間（例えば４時間）のように決めておくことにより、同一のクーポンがユーザに無制限に利用されてしまうことを防止することができる。なお、ユーザ用広告コンテンツの送信前に、図７に示すように「クーポンの使用期限は送信日時から４時間以内です」のような警告画面を表す情報をカメラ付き携帯電話３に送信するようにしてもよい。
【００４９】
ここで、広告コンテンツ管理部１９は送信したユーザ用広告コンテンツを、ユーザ用広告コンテンツデータベースＤＢ３から削除する。これにより、ユーザは一度利用したクーポンは再利用できなくなる。なお、削除に代えて、送信禁止のフラグをユーザ用広告コンテンツデータベースＤＢ３に登録するようにしてもよい。
【００５０】
また、広告コンテンツ管理部１９は、どのようなプロファイルのユーザにどのようなユーザ用広告コンテンツを送信したかについての送信履歴を管理する。なお、送信履歴は第３の保存部１７に保存される。広告主には広告コンテンツの送信履歴を提供する。
【００５１】
第４の保存部２３は、プリント注文があった画像データをユーザ単位で保存する。これにより、ユーザはプリントサービスシステム１にアクセスすれば、プリント注文を行った画像データを閲覧することができる。なお、保存した画像データは一定期間経過後に削除される。
【００５２】
次いで、本実施形態の動作について説明する。図８は本実施形態において画像データのプリント注文時に行われる処理を示すフローチャートである。なお、本実施形態において画像データのプリント注文を行うユーザは、プリントサービスシステム１にすでに登録済みであるものとする。
【００５３】
ユーザがプリントサービスシステム１にアクセスして認証がなされることにより処理が開始され、プリントサービスシステム１のプリント管理部１５が通信部２１を介してユーザがカメラ付き携帯電話３から送信した画像データを受信する（ステップＳＴ１）。続いて、第１の保存部に保存されたユーザプロファイルデータベースＤＢ１を参照してプリント注文を行ったユーザのプロファイルを取得する（ステップＳＴ２）。さらに、第２の保存部１３に保存された広告コンテンツデータベースＤＢ２を参照して、そのプロファイルのユーザをターゲットとしている広告コンテンツを取得する（ステップＳＴ３）。
【００５４】
そして画像データおよびユーザ用広告コンテンツをプリントシステム５に送信する（ステップＳＴ４）。
【００５５】
プリントシステム５は、プリント作業を行う（ステップＳＴ５）。具体的には、画像データおよび広告コンテンツをプリント出力してユーザ画像のプリントおよび広告コンテンツのプリントを生成し、これらをユーザの住所宛に配送する。
【００５６】
これにより、ユーザはユーザが撮影した画像のプリントおよびクーポンを含む広告コンテンツのプリントを入手することができる。
【００５７】
一方、プリントサービスシステム１の広告コンテンツ管理部１９は、ユーザ用広告コンテンツをユーザＩＤと対応付けてユーザ用広告コンテンツデータベースＤＢ３に登録し（ステップＳＴ６）、処理を終了する。
【００５８】
ユーザは広告コンテンツのプリントを持ち歩いてクーポンを利用することができるが、どのようなクーポンが利用可能であるかを覚えておけば、クーポンが必要なときにカメラ付き携帯電話３からプリントサービスシステム１にアクセスしてクーポンを含む広告コンテンツを入手してカメラ付き携帯電話３に表示することにより、クーポンを利用することができる。
【００５９】
図９は本実施形態においてユーザがユーザ用広告コンテンツを入手する際に行われる処理を示すフローチャートである。ユーザがプリントサービスシステム１にアクセスして認証がなされることにより処理が開始され、広告コンテンツ管理部１９がそのユーザについて登録されたユーザ用広告コンテンツのクーポン情報を参照して、クーポンの種類についてのリスト生成し（ステップＳＴ１１）、そのリストをユーザのカメラ付き携帯電話３に送信する（ステップＳＴ１２）。
【００６０】
ユーザのカメラ付き携帯電話３はリストを表示し（ステップＳＴ１３）、ユーザにより所望とするクーポンの選択がなされると（ステップＳＴ１４）、広告コンテンツ管理部１９がユーザが選択したクーポンを含むユーザ用広告コンテンツに送信日時を付与し（ステップＳＴ１５）、送信日時が付与されたユーザ用広告コンテンツをユーザの携帯電話３に送信する（ステップＳＴ１６）。これにより、ユーザのカメラ付き携帯電話３には送信されたユーザ用広告コンテンツが表示される（ステップＳＴ１７）。
【００６１】
一方、広告コンテンツ管理部１９は、ユーザに送信したユーザ用広告コンテンツをユーザ用広告コンテンツデータベースＤＢ３から削除し（ステップＳＴ１８）、さらに送信履歴を作成し（ステップＳＴ１９）、処理を終了する。
【００６２】
このように、本実施形態においては、画像データのプリント注文を行ったユーザのプロファイルに応じたユーザ用広告コンテンツを画像データとともにプリントシステム５へ送信し、ユーザ用広告コンテンツをユーザＩＤと対応付けてユーザ用広告コンテンツデータベースＤＢ３に登録し、ユーザによるユーザ用広告コンテンツの送信要求に応じて、送信要求がなされたユーザ用広告コンテンツをユーザのカメラ付き携帯電話３に送信して、カメラ付き携帯電話３にクーポンを含むユーザ用広告コンテンツを表示するようにしたものである。このため、ユーザはクーポンが必要なときには、プリントサービスシステム１にアクセスしさえすれよく、これにより、空メールのメールアドレスの入力や２次元バーコードの撮影等の煩わしい作業を行うことなく、容易にクーポンを入手することができる。
【００６３】
とくに、ユーザにはユーザ用広告コンテンツおよび画像データのプリントが配送されるため、ユーザはプリントサービスシステム１にアクセスしなくても、自身がどのようなクーポンを利用可能であるかを事前に知ることができる。したがって、ユーザは記憶を頼りに自身が必要なクーポンを容易に探し出すことができるため、より効率よくクーポンを利用することができる。
【００６４】
また、ユーザはクーポンを利用したいときに広告コンテンツを入手すればよいため、クーポンの利用機会を失うことなく、クーポンを有効に利用することができる。また、広告主にとっては、ユーザがクーポンの利用機会を失わないことから、広告主が運営する店舗にユーザを確実に呼び込むことができる。
【００６５】
また、ユーザ用広告コンテンツの送信履歴を管理することにより、送信履歴を送信したユーザのプロファイルと併せて広告主に提供することが可能となる。このため、広告主はこの送信履歴を用いて、広告主はどのようなプロファイルのユーザがどのようなクーポンを利用したのかを知ることができ、これにより、広告主は自ら市場調査を行うことなく、市場の動向を知ることができる。
【００６６】
また、ユーザからのアクセスがあった場合に、そのユーザについて保存されているユーザ用広告コンテンツのリストをカメラ付き携帯電話３に送信することにより、ユーザは広告コンテンツのプリントにより事前にどのようなクーポンが利用可能かを知ることができるため、そのリストから容易に必要なクーポンが含まれるユーザ用広告コンテンツを選択することができる。
【００６７】
また、送信したユーザ用広告コンテンツについてはユーザ用広告コンテンツデータベースＤＢ３から削除することにより、ユーザは必要であれば再度プリント注文を行うことによりクーポンを入手可能となる。このため、ユーザにユーザ用広告コンテンツを送信する機会を増やすことができ、これにより広告主は広告を行う回数を増加させて広告による商品やサービスの宣伝効果をより高めることができる。
【００６８】
また、送信要求があったユーザ用広告コンテンツに、送信日時を付与してカメラ付き携帯電話３に送信することにより、あらかじめ決められた利用期限内に、ユーザ用広告コンテンツに含まれるクーポンを確実に利用させるようにユーザを誘導することができる。
【００６９】
この場合、図７に示すようにクーポンの利用期限を表す情報を含む警告画面をユーザ用広告コンテンツの送信前にカメラ付き携帯電話３に送信することにより、ユーザは送信されたユーザ用広告コンテンツに含まれるクーポンの利用期限を確実に知ることができる。
【００７０】
なお、上記実施形態において、カメラ付き携帯電話３が自身の位置を表すＧＰＳ情報を生成可能なものである場合には、ユーザ用広告コンテンツの送信要求があった場合に、カメラ付き携帯電話３からＧＰＳ情報が送信された場合にのみ、ユーザ用広告コンテンツをカメラ付き携帯電話３に送信するようにしてもよい。これにより、クーポンを含むユーザ用広告コンテンツの送信と引き替えに、ユーザがクーポンを利用する場所の情報を取得することができる。したがって、この場所の情報を広告主に提供することにより、広告主はクーポンが利用された店舗の場所を知ることができる。
【００７１】
また、上記実施形態においては、本実施形態によるプリントサービスシステム１において、ユーザのカメラ付き携帯電話３からの画像データのプリント注文およびユーザ用広告コンテンツの送信要求を受け付けているが、ユーザのパソコンからの画像データのプリント注文およびユーザ用広告コンテンツの送信要求を受け付けるようにしてもよい。この場合、ユーザに送信されたユーザ用広告コンテンツはユーザのパソコンに接続されたプリンタからプリント出力されて利用されることとなる。
【図面の簡単な説明】
【００７２】
【図１】本発明の実施形態による広告装置を用いたプリントサービスシステムの構成を示す概略ブロック図
【図２】ユーザプロファイルデータベースの構成を示す図
【図３】広告コンテンツデータベースの構成を示す図
【図４】ユーザ用広告コンテンツデータベースの構成を示す図
【図５】ユーザのカメラ付き携帯電話に表示されたリストの例を示す図
【図６】ユーザのカメラ付き携帯電話に表示されたユーザ用広告コンテンツの例を示す図
【図７】警告画面を示す図
【図８】本実施形態において画像データのプリント注文時に行われる処理を示すフローチャート
【図９】本実施形態においてユーザがユーザ用広告コンテンツを入手する際に行われる処理を示すフローチャート
【符号の説明】
【００７３】
１      プリントサービスシステム
１１    第１の保存部
１３    第２の保存部
１５    プリント管理部
１７    第３の保存部
１９    広告コンテンツ管理部
２１    通信部
２３    第４の保存部
【図１】
2006085337.tif 000003
【図２】
2006085337.tif 000004
【図３】
2006085337.tif 000005
【図４】
2006085337.tif 000006
【図５】
2006085337.tif 000007
【図６】
2006085337.tif 000008
【図７】
2006085337.tif 000009
【図８】
2006085337.tif 000010
【図９】
2006085337.tif 000011